(57)【要約】【課題】  買い物袋、ト−トバッグ等の手提げ袋やショルダーバッグ等。人が携行するバッグであって、飽きのこない特徴的な装飾を施したバッグを提供すること。【解決手段】  胴部側面部に窓状の側面開口部を設け、該側面開口部の内側周縁部に面ファスナー等の係着手段を設けたバッグ本体と、前記側面開口部の内側の係着手段に係着する係着手段を表側周縁部に備え前記側面開口部の内側に着脱することのできる枠体と、該枠体に保持される縫いぐるみ等の装飾物品とを備えているバッグ。【選択図】図１
2009106498.tif 000002
【特許請求の範囲】
【請求項１】
胴部の側面部に側面開口部を設け、該側面開口部の内側周縁部に係着手段を設けた手提げ袋本体と、前記側面開口部の内側の係着手段に係着する係着手段を表側周縁部に備え前記側面開口部の内側に取り付けることのできる枠体と、該枠体に保持される装飾物品とを備えていることを特徴とするバッグ。
【請求項２】
前記係着手段が面ファスナーである請求項１に記載のバッグ。
【請求項３】
前記装飾物品が、人形、縫いぐるみ、花等の立体装飾品、もしくは文字、絵画、写真等を表示したパネルである請求項１または２に記載のバッグ。
【請求項４】
前記枠体に、手提げ袋本体の内側に収納される小袋体が取り付けられている請求項１から３までのいずれかに記載のバッグ。
【発明の詳細な説明】
【技術分野】
【０００１】
本発明は、買い物袋、ト−トバッグ等の手提げ袋やショルダーバッグ等。人が携行するバッグに関するものであり、より詳しくは、胴部の外面部に特徴的な装飾を施したバッグに関するものである。
【背景技術】
【０００２】
手提げ袋等のバッグは、紙、不織布、布等で作られた袋本体の上端部に紐で作られた手提げ用の把手を設けたものが一般的である。上記袋本体は上に開口する底（角底が多い）付きの袋として形成され、その外面には、種々の意匠が施されているものが多い。意匠としては、例えば外面に風景や人物等の写真や、絵画や、文字を印刷等で表示したものが多い。この他にも、布製の袋本体の外周部に皮革等の縁取りを施したも等、種々のデザインのものがある。
【０００３】
この種の手提げ袋で趣味的な意匠を施した手提げ袋としては、例えば下記特許文献１、２に開示されているようなものがある。
【０００４】
上記特許文献１に記載されているものは、特定のプロ野球チームのユニホーム、チーム名、ロゴマーク等を表示したものであり、上記特許文献２に記載のものは、袋本体の前胴部及び後胴部に手掛け部を上部に有する所定輪郭のイラストボード板を貼り付けたものである。
【０００５】
【特許文献１】特開２００５−２８７９６２号公報
【特許文献２】特開平１１−１７１２０８号公報
【発明の開示】
【発明が解決しようとする課題】
【０００６】
上記特許文献１、２に記載されているものは、それなりに看る者の興味を惹くものと思われるが、いずれも、意匠を簡単に取り替えることができないので、長期間使用すると、飽きがくるという問題点があった。
【０００７】
そこで、本発明は、袋本体に任意の意匠を施すことができ、しかもその意匠を適宜変更することができるようにすることにより、長期間使用しても飽きがこないような手提げ袋を提供することを課題としている。
【課題を解決するための手段】
【０００８】
本発明は、上記課題を解決するため、次のような構成を採用した。すなわち、本発明に係るバッグは、胴部の側面部に側面開口部を設け、該側面開口部の内側周縁部に係着手段を設けた手提げ袋本体と、前記側面開口部の内側の係着手段に係着する係着手段を表側周縁部に備え前記側面開口部の内側に着脱することのできる枠体と、該枠体に保持される装飾物品とを備えていることを特徴としている。
【０００９】
前記係着手段としては、面ファスナーを使用するのが好ましい。また前記装飾物品としては、人形、縫いぐるみ、花等の立体装飾品、もしくは文字、絵画、写真等を表示したパネル等がある。さらに液晶画面でもよく、液体入りの薄型容器でもよい。また、前記枠体に、手提げ袋本体の内側に収納される小袋体を取り付けておくと便利である。
【発明の効果】
【００１０】
本発明に係るバッグは、袋本体の開口とは別に、その胴部側面部に側面開口部が設けられ、該側面開口部に着脱自在な枠体を介して装飾物品を保持するので、当該装飾物品を保持する枠体を袋本体に着脱することにより、装飾物品を簡単に取り替えることができる。複数種の装飾物品を保持した枠体を用意しておけば、飽きがきた場合は勿論、行き先等に応じて適宜装飾物品を取り替えることができるようになり、バッグを長期間にわたって愛用することができる。
【００１１】
上記枠体に、袋本体内に配置される小袋体を設けておけば、この小袋体を小物を入れるポケットとして利用することができるとともに、縫いぐるみ等の装飾物品が枠体から外れたとしても、当該小袋体に落ち込むので、紛失しなくてすむという利点がある。
【発明を実施するための最良の形態】
【００１２】
以下、本発明の実施形態について具体的に説明する。図１は、本発明に係るバッグの１例としての手提げ袋を表すもので、この手提げ袋１は、上に開口する袋本体２を備え、該袋本体２の上部に手提げや肩掛け用の把手（吊紐）３が設けられている。袋本体２と把手３は、紙、布、不織布、皮革、合成樹脂シート等、適度の強度を有する材料で製作することができる。図示例の袋本体２は、その開口２ａが開いたままとなっているが、開閉自在な蓋を設けておいてもよく、スライドファスナー等により、開口２ａを開閉するようにしておいてもよい。
【００１３】
袋本体２の側面には、前記上に開く開口２ａとは別に、比較的小さな窓状の側面開口部５が設けられている。この側面開口部５の裏側（袋本体の内側）には、該側面開口部５の周縁に沿って着脱自在な係着手段として、面ファスナー７が取り付けられている。
【００１４】
一方、この手提げ袋１は、前記側面開口部５の内側に取り付けられる枠体１０を備えている。枠体１０は、布、不織布、紙等適当な強度を有する材料で作られるもので、その内径が前記側面開口部５とほぼ同じ大きさであり、該側面開口部５の形状と同様な形状に形成されていて、その外面側には前記面ファスナー７に着脱自在に係着する面ファスナー７が設けられている。
【００１５】
枠体１０の内面側には、柔軟な材料で製作された小袋体１５が取り付けられている。この小袋体１５は、枠体１０を袋本体２に取り付けたときに袋本体１０の内部に嵌り込んだ状態となるもので、その開口部１５ａは、前記枠体１０の中空部１０ａを通して外に向かって開口している。
【００１６】
前記枠体１０には、装飾物品２０として犬の縫いぐるみＤが保持されている。図示例の縫いぐるみは、小袋体１５に後半身を嵌め込んだ状態で、前足と頭が開口部１０ａから外に突出している。このため、ペットを持ち運んでいるかのような雰囲気があり、看る者の興味を惹くのである。なお、この縫いぐるみＤは、接着剤等の固着手段で枠体１０に固着してもよいが、場合によっては、枠体１０に固着せず、単に枠体１０から見えるように部分的に小袋体１５に収納しておいてもよい。図示例では、側面開口部５の外周面に、窓枠状の縁取り５ａが形成されているので、縫いぐるみが窓から顔を出しているように見えるが、このような縁取りは必ずしも必要なものではなく、場合によっては設けなくてもよい。
【００１７】
つぎに、図５は、装飾物品２０として、上記縫いぐるみの代わりにパネルＰを枠体１０に取り付けた例を表す。パネルＰは紙、布、合成樹脂シート等で作られるもので、その表面には絵画、写真、文字等が表示されている。このように、パネルＰを取り付けた枠体１０を側面開口部５に取り付けると、該側面開口部５がパネルＰによって閉塞されるので、内部の物品がこぼれ落ちるおそれがなくなる。
【００１８】
図６は、さらに異なる実施形態を表すもので、この実施形態では、窓状の側面開口部５が矩形ではなく、円形に形成されている。この場合は、枠体１０も小開口部に沿うように、円形に形成しておく。図６に示す装飾物品２０は、薄い容器Ｃに液体Ｌを入れ、該液体にヨットの模型Ｙを浮かべたもので、薄い容器Ｃの外面側は透明な板（シート）で形成されていて、内部の模型Ｙが外から見えるようになっている。この手提げ袋を持ち運ぶと、内部の液体Ｌが揺れてヨットの模型Ｙが揺動するので、さらに魅力的である。
【００１９】
装飾物品としては、以上の他にも、造花、人形、液晶パネル等、種々のものがある。このように、種類の異なる装飾物品を取り付けた複数の枠体１０を用意しておき、手持ちの手提げ袋１に適宜取り替えて装着するようにすると、一つの手提げ袋１であっても、変化に富んだものとすることができ、長期間使用しても飽きがこない。また、冠婚葬祭に出向く際には、それに適した装飾物品を取り付けておくことも可能である。
【００２０】
この手提げ袋１は、胴部に設けられた側面開口部５に、異なる意匠を施した種々の装飾物品２０を保持する枠体１０を簡単に着脱することができるので、一つの手提げ袋でも変化に富んだ使用をすることができる。本発明におけるバッグは、人が携行するバッグであって、図示例のような手提げ袋だけではなく、肩に掛けるショルダーバッグや、背で支持するリュックサック等であってもよい。また、枠体１０の係着手段として、図示例では面ファスナー７が使用されているが、ボタンやスナップを利用して着脱するようにしてもよい。種々の異なる装飾物品２０を保持した枠体１０をバッグ本体とは別売するようにして、購入者が適宜選択購入できるようにするとさらに便利である。
【産業上の利用可能性】
【００２１】
本発明に係る手提げ袋は、紙、布、合成樹脂シート、皮革等、適度の強度を有する材料を利用して工業生産的に製造することが可能であり、身の回り品の分野で効果的に使用できるものである。
【図面の簡単な説明】
【００２２】
【図１】バッグの１例である手提げ袋を表す正面図である。
【図２】その側面断面図である。
【図３】袋本体の内側から見た側面開口部の背面図である。
【図４】枠体の正面図（ａ）および側面図（ｂ）である。
【図５】上記と異なる実施形態を表す正面図である。
【図６】さらに異なる実施形態を表す正面図である。
【符号の説明】
【００２３】
１        手提げ袋（バッグ）
２        袋本体
３        把手
５        側面開口部
１０        枠体
１５        小袋体
２０        装飾物品
【図１】
2009106498.tif 000003
【図２】
2009106498.tif 000004
【図３】
2009106498.tif 000005
【図４】
2009106498.tif 000006
【図５】
2009106498.tif 000007
【図６】
2009106498.tif 000008